(57)【要約】  タッチスクリーンは、前方直線偏光子と、タッチセンサと、前方ディスプレイ基板とを含む。タッチセンサは、光学等方性基板の頂部側に配置された第一の導電性メッシュと、光学等方性基板の底部側に配置された第二の導電性メッシュとを含む。第一の導電性メッシュの頂部側は前方直線偏光子の底部側に結合される。第二の導電性メッシュの底部側は前方ディスプレイ基板の頂部側に結合される。
2017504094.tif 000002
【特許請求の範囲】
【請求項１】
前方直線偏光子と、
タッチセンサと、
前方ディスプレイ基板と、を備えるタッチスクリーンであって、
前記タッチセンサが、光学等方性基板の頂部側に配置された第一の導電性メッシュと、前記光学等方性基板の底部側に配置された第二の導電性メッシュと、を備え、
前記第一の導電性メッシュの頂部側が前記前方直線偏光子の底部側に結合されていて、
前記第二の導電性メッシュの底部側が前記前方ディスプレイ基板の頂部側に結合されている、タッチスクリーン。
【請求項２】
前記前方直線偏光子の頂部側に結合されたカバーレンズと、
前記前方ディスプレイ基板の底部側に配置されたカラーフィルタと、
前記カラーフィルタの底部側と薄膜トランジスタ層の頂部側との間に配置された液晶層であって、前記薄膜トランジスタ層が後方ディスプレイ基板の頂部側に配置されている、液晶層と、
後方直線偏光子であって、前記後方直線偏光子の頂部側が前記後方ディスプレイ基板の底部側に結合されている、後方直線偏光子と、
前記後方直線偏光子の底部側に結合されたバックライトモジュールと、を更に備える請求項１に記載のタッチスクリーン。
【請求項３】
前記第一の導電性メッシュの頂部側が、光学透明接着剤又は樹脂によって前記前方直線偏光子の底部側に結合されていて、
前記第二の導電性メッシュの底部側が、光学透明接着剤又は樹脂によって前記前方ディスプレイ基板の頂部側に結合されている、請求項１に記載のタッチスクリーン。
【請求項４】
前記前方直線偏光子がアンチグレア偏光子である、請求項１に記載のタッチスクリーン。
【請求項５】
前方直線偏光子と、
タッチセンサと、
前方ディスプレイ基板と、を備えるタッチスクリーンであって、
前記タッチセンサが、前記前方ディスプレイ基板の頂部側に配置された第一の導電性メッシュと、前記前方ディスプレイ基板の底部側に配置された第二の導電性メッシュと、を備え、
前記第一の導電性メッシュの頂部側が前記前方直線偏光子の底部側に結合されている、タッチスクリーン。
【請求項６】
前記前方直線偏光子の頂部側に結合されたカバーレンズと、
前記第二の導電性メッシュの底部側に配置されたカラーフィルタと、
前記カラーフィルタの底部側と薄膜トランジスタ層の頂部側との間に配置された液晶層であって、前記薄膜トランジスタ層が後方ディスプレイ基板の頂部側に配置されている、液晶層と、
後方直線偏光子であって、前記後方直線偏光子の頂部側が前記後方ディスプレイ基板の底部側に結合されている、後方直線偏光子と、
前記後方直線偏光子の底部側に結合されたバックライトモジュールと、を更に備える請求項５に記載のタッチスクリーン。
【請求項７】
前記第一の導電性メッシュの頂部側が、光学透明接着剤又は樹脂によって前記前方直線偏光子の底部側に結合されている、請求項５に記載のタッチスクリーン。
【請求項８】
前記前方直線偏光子がアンチグレア偏光子である、請求項５に記載のタッチスクリーン。
【請求項９】
前方直線偏光子と、
タッチセンサと、
前方ディスプレイ基板と、を備えるタッチスクリーンであって、
前記タッチセンサが、前記前方直線偏光子の底部側に配置された第一の導電性メッシュと、前記前方ディスプレイ基板の頂部側に配置された第二の導電性メッシュと、を備え、
前記第一の導電性メッシュの底部側が前記第二の導電性メッシュの頂部側に結合されている、タッチスクリーン。
【請求項１０】
前記前方直線偏光子の頂部側に結合されたカバーレンズと、
前記前方ディスプレイ基板の底部側に配置されたカラーフィルタと、
前記カラーフィルタの底部側と薄膜トランジスタ層の頂部側との間に配置された液晶層であって、前記薄膜トランジスタ層が後方ディスプレイ基板の頂部側に配置されている、液晶層と、
後方直線偏光子であって、前記後方直線偏光子の頂部側が前記後方ディスプレイ基板の底部側に結合されている、後方直線偏光子と、
前記後方直線偏光子の底部側に結合されたバックライトモジュールと、を更に備える請求項９に記載のタッチスクリーン。
【請求項１１】
前記第一の導電性メッシュの底部側が、光学透明接着剤又は樹脂によって前記第二の導電性メッシュの頂部側に結合されている、請求項９に記載のタッチスクリーン。
【請求項１２】
前記前方直線偏光子がアンチグレア偏光子である、請求項９に記載のタッチスクリーン。
【請求項１３】
円偏光子と、
タッチセンサと、
前方ディスプレイ基板と、を備えるタッチスクリーンであって、
前記タッチセンサが、基板の頂部側に配置された第一の導電性メッシュと、前記基板の底部側に配置された第二の導電性メッシュと、を備え、
前記第一の導電性メッシュの頂部側が前記円偏光子の底部側に結合されていて、
前記第二の導電性メッシュの底部側が前記前方ディスプレイ基板の頂部側に結合されている、タッチスクリーン。
【請求項１４】
前記円偏光子の頂部側に結合されたカバーレンズと、
前記前方ディスプレイ基板の底部側と薄膜トランジスタ層の頂部側との間に配置された有機発光ダイオード層と、を更に備え、
前記薄膜トランジスタ層が後方ディスプレイ基板の頂部側に配置されている、請求項１３に記載のタッチスクリーン。
【請求項１５】
前記第一の導電性メッシュの頂部側が、光学透明接着剤又は樹脂によって前記円偏光子の底部側に結合されていて、
前記第二の導電性メッシュの底部側が、光学透明接着剤又は樹脂によって前記前方ディスプレイ基板の頂部側に結合されている、請求項１３に記載のタッチスクリーン。
【請求項１６】
前記円偏光子がアンチグレア偏光子である、請求項１３に記載のタッチスクリーン。
【請求項１７】
前記基板が光学等方性フィルム基板である、請求項１３に記載のタッチスクリーン。
【請求項１８】
前記基板が複屈折性ＰＥＴ基板である、請求項１３に記載のタッチスクリーン。
【請求項１９】
円偏光子と、
タッチセンサと、
前方ディスプレイ基板と、を備えるタッチスクリーンであって、
前記タッチセンサが、前記前方ディスプレイ基板の頂部側に配置された第一の導電性メッシュと、前記前方ディスプレイ基板の底部側に配置された第二の導電性メッシュと、を備え、
前記第一の導電性メッシュの頂部側が前記円偏光子の底部側に結合されている、タッチスクリーン。
【請求項２０】
前記円偏光子の頂部側に結合されたカバーレンズと、
前記第二の導電性メッシュの底部側と薄膜トランジスタ層の頂部側との間に配置された有機発光ダイオード層と、を更に備え、
前記薄膜トランジスタ層が後方ディスプレイ基板の頂部側に配置されている、請求項１９に記載のタッチスクリーン。
【請求項２１】
前記第一の導電性メッシュの頂部側が、光学透明接着剤又は樹脂によって前記円偏光子の底部側に結合されている、請求項１９に記載のタッチスクリーン。
【請求項２２】
前記円偏光子がアンチグレア偏光子である、請求項１９に記載のタッチスクリーン。
【請求項２３】
円偏光子と、
タッチセンサと、
前方ディスプレイ基板と、を備えるタッチスクリーンであって、
前記タッチセンサが、前記円偏光子の底部側に配置された第一の導電性メッシュと、前記前方ディスプレイ基板の頂部側に配置された第二の導電性メッシュと、を備え、
前記第一の導電性メッシュの底部側が、前記第二の導電性メッシュの頂部側に結合されている、タッチスクリーン。
【請求項２４】
前記円偏光子の頂部側に結合されたカバーレンズと、
前記前方ディスプレイ基板の底部側と薄膜トランジスタ層の頂部側との間に配置された有機発光ダイオード層と、を更に備え、
前記薄膜トランジスタ層が後方ディスプレイ基板の頂部側に配置されている、請求項２３に記載のタッチスクリーン。
【請求項２５】
前記第一の導電性メッシュの底部側が、光学透明接着剤又は樹脂によって前記第二の導電性メッシュの頂部側に結合されている、請求項２３に記載のタッチスクリーン。
【請求項２６】
前記円偏光子がアンチグレア偏光子である、請求項２３に記載のタッチスクリーン。
【発明の詳細な説明】
【技術分野】
【０００１】
タッチスクリーンを備える電子デバイスでは、使用者はタッチによってそのデバイスを制御することができる。使用者は、ディスプレイデバイス上に表示されるオブジェクトとタッチ又はジェスチャによって直接やり取りすることができる。タッチスクリーンは、家庭用システム、商業用システム、工業用システムに一般的に見られ、スマートフォン、タブレットコンピュータ、ラップトップコンピュータ、デスクトップコンピュータ、キオスク、モニタ、テレビ、携帯型ゲーム機、ゲーム用コンソールが挙げられるが、これらに限定されるものではない。
【背景技術】
【０００２】
タッチスクリーンは、タッチを感知するように構成されたタッチセンサを含む。タッチセンサは、基板上に配置された導線のパターンを含む。フレキソ印刷は、イメージを基板に転移させる輪転式の信頼性の高い印刷プロセスである。フレキシ印刷プロセスは、タッチセンサの製造での使用に適合可能である。
【発明の概要】
【課題を解決するための手段】
【０００３】
本発明の一つ以上の実施形態の一態様によると、タッチスクリーンは、前方直線偏光子と、タッチセンサと、前方ディスプレイ基板とを含む。タッチセンサは、光学等方性基板の頂部側に配置された第一の導電性メッシュと、光学等方性基板の底部側に配置された第二の導電性メッシュとを含む。第一の導電性メッシュの頂部側は前方直線偏光子の底部側に結合される。第二の導電性メッシュの底部側は前方ディスプレイ基板の頂部側に結合される。
【０００４】
本発明の一つ以上の実施形態の一態様によると、タッチスクリーンは、前方直線偏光子と、タッチセンサと、前方ディスプレイ基板とを含む。タッチセンサは、前方ディスプレイ基板の頂部側に配置された第一の導電性メッシュと、前方ディスプレイ基板の底部側に配置された第二の導電性メッシュとを含む。第一の導電性メッシュの頂部側は前方直線偏光子の底部側に結合される。
【０００５】
本発明の一つ以上の実施形態の一態様によると、タッチスクリーンは、前方直線偏光子と、タッチセンサと、前方ディスプレイ基板とを含む。タッチセンサは、前方直線偏光子の底部側に配置された第一の導電性メッシュと、前方ディスプレイ基板の頂部側に配置された第二の導電性メッシュとを含む。第一の導電性メッシュの底部側は第二の導電性メッシュの頂部側に結合される。
【０００６】
本発明の一つ以上の実施形態の一態様によると、タッチスクリーンは、円偏光子と、タッチセンサと、前方ディスプレイ基板とを含む。タッチセンサは、基板の頂部側に配置された第一の導電性メッシュと、基板の底部側に配置された第二の導電性メッシュとを含む。第一の導電性メッシュの頂部側は円偏光子の底部側に結合される。第二の導電性メッシュの底部側は前方ディスプレイ基板の頂部側に結合される。
【０００７】
本発明の一つ以上の実施形態の一態様によると、タッチスクリーンは、円偏光子と、タッチセンサと、前方ディスプレイ基板とを含む。タッチセンサは、前方ディスプレイ基板の頂部側に配置された第一の導電性メッシュと、前方ディスプレイ基板の底部側に配置された第二の導電性メッシュとを含む。第一の導電性メッシュの頂部側は円偏光子の底部側に結合される。
【０００８】
本発明の一つ以上の実施形態の一態様によると、タッチスクリーンは、円偏光子と、タッチセンサと、前方ディスプレイ基板とを含む。タッチセンサは、円偏光子の底部側に配置された第一の導電性メッシュと、前方ディスプレイ基板の頂部側に配置された第二の導電性メッシュとを含む。第一の導電性メッシュの底部側は第二の導電性メッシュの頂部側に結合される。
【０００９】
本発明の他の態様は以下の説明及び特許請求の範囲から明らかになる。
【図面の簡単な説明】
【００１０】
【図１】個別タッチセンサ解決策を用いた従来の液晶ディスプレイタッチスクリーンの断面図を示す。
【図２】個別タッチセンサ解決策を用いた従来の有機発光ダイオードタッチスクリーンの断面図を示す。
【図３】計算システムの一部として個別タッチセンサ解決策を用いた従来のタッチスクリーンの概略図を示す。
【図４】本発明の一つ以上の実施形態に係るタッチスクリーンの一部としてのタッチセンサの機能図を示す。
【図５Ａ】本発明の一つ以上の実施形態に係る単一基板を備えるタッチセンサの断面図を示す。
【図５Ｂ】本発明の一つ以上の実施形態に係る二つの基板を備えるタッチセンサの断面図を示す。
【図６】本発明の一つ以上の実施形態に係る基板上に配置された第一の導電性メッシュを示す。
【図７】本発明の一つ以上の実施形態に係る基板上に配置された第二の導電性メッシュを示す。
【図８】本発明の一つ以上の実施形態に係るタッチセンサの一部を示す。
【図９】本発明の一つ以上の実施形態に係るフレキソ印刷システムを示す。
【図１０】本発明の一つ以上の実施形態に係る偏光子の下に導電性メッシュを備える液晶ディスプレイタッチスクリーンの断面図を示す。
【図１１】本発明の一つ以上の実施形態に係る偏光子の下に導電性メッシュを備える液晶ディスプレイタッチスクリーンの断面図を示す。
【図１２】本発明の一つ以上の実施形態に係る偏光子の下に導電性メッシュを備える液晶ディスプレイタッチスクリーンの断面図を示す。
【図１３】本発明の一つ以上の実施形態に係る偏光子の下に導電性メッシュを備える有機発光ダイオードタッチスクリーンの断面図を示す。
【図１４】本発明の一つ以上の実施形態に係る偏光子の下に導電性メッシュを備える有機発光ダイオードタッチスクリーンの断面図を示す。
【図１５】本発明の一つ以上の実施形態に係る偏光子の下に導電性メッシュを備える有機発光ダイオードタッチスクリーンの断面図を示す。
【発明を実施するための形態】
【００１１】
本発明の一つ以上の実施形態が添付図面を参照して詳細に説明される。一貫性のため、図面中の同様の要素は、同様の参照番号によって指称される。以下の本発明の詳細な説明においては、本発明の完全な理解を与えるために、具体的な細部が説明される。場合によっては、本発明の説明が曖昧になるのを防ぐため、当業者に周知の特徴については説明しない。
【００１２】
図１は、個別タッチセンサ解決策を用いた従来の液晶ディスプレイ（ＬＣＤ，ｌｉｑｕｉｄ  ｃｒｙｓｔａｌ  ｄｉｓｐｌａｙ）タッチスクリーンの断面図を示す。典型的には、ＯＥＭ（ｏｒｉｇｉｎａｌ  ｅｑｕｉｐｍｅｎｔ  ｍａｎｕｆａｃｔｕｒｅｒ）が、ＬＣＤ１０５のサブアセンブリ、タッチセンサ１１０のサブアセンブリ、及びカバーレンズ１１５を調達する。ＯＥＭは、機械的シャーシ（図示せず）内で調達した部品を組み立てて、家庭用、商業用、又は工業用の応用又は設計に適したＬＣＤタッチスクリーン１００を形成する。一般的に、ＬＣＤ１０５は出力機能を果たし、タッチセンサ１１０は入力機能を果たし、カバーレンズ１１５はＬＣＤタッチスクリーン１００の下方の部品を保護する。
【００１３】
カバーレンズ１１５の頂部側は、使用者に向き合い、典型的にはガラス製である。カバーレンズ１１５の底部側は、光学透明接着剤（図示せず）によってタッチセンサ１１０の頂部側に結合される。タッチセンサ１１０の底部側は、光学透明接着剤（図示せず）によって前方直線偏光子１２０の頂部側に結合される。前方直線偏光子１２０は、光沢性又はアンチグレア（マット仕上げ）の偏光子であって、後方直線偏光子１５０に対して９０度回転され得て、交差偏光対を形成する。前方直線偏光子１２０の底部側は、光学透明接着剤（図示せず）によって前方ガラス基板１２５の頂部側に結合される。カラーフィルタ１３０は、前方ガラス基板１２５の底部側に配置される。カラーフィルタ１３０は、複数の赤色、緑色、及び青色（ＲＧＢ，ｒｅｄ  ｇｒｅｅｎ  ｂｌｕｅ）のサブ画素パターン（図示せず）を含む。液晶層１３５は、カラーフィルタ１３０の底部側と薄膜トランジスタ（ＴＦＴ，ｔｈｉｎ  ｆｉｌｍ  ｔｒａｎｓｉｓｔｏｒ）層１４０の頂部側との間に配置される。ＴＦＴ層１４０は、後方ガラス基板１４５の頂部側に配置されて、液晶層１３５のサブ画素電極（図示せず）を選択的に駆動させるように構成される。後方直線偏光子１５０の頂部側は、光学透明接着剤（図示せず）によって後方ガラス基板１４５の底部側に結合される。バックライトモジュール１５５の頂部側は、後方直線偏光子１５０の底部側に結合される。バックライトモジュール１５５は典型的に、エレクトロルミネセントランプ、冷陰極蛍光ランプ、発光ダイオード（ＬＥＤ，ｌｉｇｈｔ  ｅｍｉｔｔｉｎｇ  ｄｉｏｄｅ）アレイ等の光源を含む。
【００１４】
動作時には、バックライトモジュール１５５が、後方直線偏光子１５０を実質的に通過する可視光を発生させる。前方直線偏光子１２０が後方直線偏光子１５０に対して９０度回転しているので、バックライトモジュール１５５が発生させる光は、前方直線偏光子１２０によって実質的に遮断される。所定のサブ画素（図示せず）が表示される場合、ＴＦＴ層１４０が、液晶層１３５の対応するサブ画素（図示せず）を駆動させるサブ画素電極（図示せず）を駆動させる。駆動した液晶サブ画素（図示せず）がネマチックにねじれて、光の偏光が、カラーフィルタ１３０及び前方直線偏光子１２０を通過することができるように変化する。駆動したサブ画素（図示せず）のカラーフィルタリングされた光が、前方直線偏光子１２０を通過して、使用者の目に見える。
【００１５】
図２は、個別タッチセンサ解決策を用いた従来の有機発光ダイオード（ＯＬＥＤ，ｏｒｇａｎｉｃ  ｌｉｇｈｔ‐ｅｍｉｔｔｉｎｇ  ｄｉｏｄｅ）タッチスクリーンの断面図を示す。典型的には、ＯＥＭが、ＯＬＥＤディスプレイ２０５のサブアセンブリ、タッチセンサ２１０のサブアセンブリ、及びカバーレンズ２１５を調達する。ＯＥＭは、機械的シャーシ（図示せず）内で調達した部品を組み立てて、家庭用、商業用、又は工業用の応用又は設計に適したＯＬＥＤタッチスクリーン２００を形成する。一般的に、ＯＬＥＤディスプレイ２０５は出力機能を果たし、タッチセンサ２１０は入力機能を果たし、カバーレンズ２１５はＯＬＥＤタッチスクリーン２００の下方の部品を保護する。
【００１６】
カバーレンズ２１５の頂部側は使用者に向き合い、典型的にはガラス製である。カバーレンズ２１５の底部側は、光学透明接着剤（図示せず）によってタッチセンサ２１０の頂部側に結合される。タッチセンサ２１０の底部側は、光学透明接着剤（図示せず）によって円偏光子２２０の頂部側に結合される。円偏光子２２０は光沢性又はアンチグレア（マット仕上げ）の偏光子である。円偏光子２２０の底部側は、光学透明接着剤（図示せず）によって前方ガラス基板２２５に頂部側に結合される。ＯＬＥＤ層２３０は、前方ガラス基板２２５の底部側とＴＦＴ層２３５の頂部側との間に配置される。ＴＦＴ層２３５は、後方ガラス基板２４０の頂部側に配置されて、ＯＬＥＤサブ画素（図示せず）を選択的に駆動させるように構成される。
【００１７】
動作時には、ＯＬＥＤディスプレイ２０５は、電気的リン光発光によって発光する。ＴＦＴ層２３５は、駆動時に発光するＯＬＥＤサブ画素（図示せず）を選択的に駆動させる。発光の色は、ＯＬＥＤ層２３０の発光層（図示せず）の有機分子の種類に依存する。従って、複数のＲＧＢサブ画素（図示せず）は、赤色、緑色、又は青色でそれぞれ発光する有機分子を用いて形成され得る。
【００１８】
図３は、計算システムの一部としての個別タッチセンサ解決策を用いた従来のタッチスクリーンの概略図を示す。計算システム３００は、家庭用計算システム、商業用計算システム、又は工業用計算システムであり得て、スマートフォン、タブレットコンピュータ、ラップトップコンピュータ、デスクトップコンピュータ、モニタ、キオスク、テレビ、携帯型ゲーム機、ゲーム用コンソール、又はタッチスクリーン１００又は２００での使用に適した他のシステムが挙げられるが、これらに限定されない。
【００１９】
計算システム３００は、一つ以上のプリント回路板（図示せず）及び／又は一つ以上のフレックス回路（図示せず）を含み、その上に、一つ以上のプロセッサ（図示せず）及び／又はシステムメモリ（図示せず）が配置され得る。一つ以上のプロセッサの各々は、シングルコアプロセッサ（図示せず）又はマルチコアプロセッサ（図示せず）であり得る。マルチコアプロセッサ（図示せず）は、典型的には、同一の物理的ダイ（図示せず）上に配置された複数のプロセッサコア（図示せず）、又は、同一の機械的パッケージ（図示せず）内に配置されている複数のダイ（図示せず）上に配置された複数のプロセッサコア（図示せず）を含む。
【００２０】
計算システム３００は、一つ以上の入力／出力デバイス（図示せず）、一つ以上のローカルストレージデバイス（図示せず）（ソリッドステートメモリ（図示せず）、固定ディスクドライブ（図示せず）、固定ディスクドライブアレイ（図示せず）、他の非一時的コンピュータ可読媒体（図示せず）等）、ネットワークインターフェースデバイス（図示せず）、及び／又は一つ以上のネットワークストレージデバイス（図示せず）（ネットワーク接続型ストレージデバイス（図示せず）、クラウドベースのストレージデバイス（図示せず）等）を含み得る。
【００２１】
タッチスクリーン１００（又は２００）は、ＬＣＤ１０５（又はＯＬＥＤディスプレイ２０５）と、そのＬＣＤ１０５（又はＯＬＥＤディスプレイ２０５）の可視領域の少なくとも一部を覆うタッチセンサ１１０（又は２１０）とを含む。コントローラ３１０がタッチセンサ１１０（又は２１０）を電気的に駆動させる。タッチセンサ１１０（又は２１０）は、タッチを感知して、感知したタッチに対応する情報（静電容量、抵抗率、圧電性）をコントローラ３１０に伝える。典型的な応用では、コントローラ３１０が、タッチの感知を測定、調整及び／又はフィルタリングする方法を設定し得る。また、コントローラ３１０は、感知したタッチに基づいた一つ以上のジェスチャを認識し得る。コントローラ３１０は、感知したタッチに対応するタッチ又はジェスチャの情報をホスト３２０に提供する。ホスト３２０は、このタッチ又はジェスチャの情報を使用者の入力として用いて、適切な方法で応答し得る。このようにして、使用者は、タッチスクリーン１００（又は２００）上でのタッチ又はジェスチャによって計算システム３００とやり取りし得る。
【００２２】
図４は、本発明の一つ以上の実施形態に係るタッチスクリーンの一部としてのタッチセンサの機能図を示す。特定の実施形態では、タッチセンサ４００は、メッシュグリッドとして配置された、複数の列（又は送信）線４１０と、複数の行（又は受信）線４２０と見なされ得る。送信線４１０の数と、受信線４２０の数とは、応用又は設計に基づいて同じではなくて、異なり得る。送信線４１０と受信線４２０との見掛けの交差部は、タッチセンサ４００の一意にアドレス可能な箇所と見なされ得る。動作時には、コントローラ３１０が、一つ以上の送信線４１０を電気的に駆動させて、タッチセンサ４００が、コントローラ３１０によってサンプリングされた一つ以上の受信線４２０上でのタッチを感知し得る。送信線４１０及び受信線４２０の役割は、逆になり得て、コントローラ３１０が一つ以上の受信線４２０を電気的に駆動させて、タッチセンサ４００が、コントローラ３１０によってサンプリングされた一つ以上の送信線４１０上でのタッチを感知し得るようになる。
【００２３】
コントローラ３１０は、走査プロセスによってタッチセンサ４００とやり取りし得る。こうした実施形態では、コントローラ３１０は、選択された送信線４１０を電気的に駆動させて、選択された送信線４１０と交差する全ての受信線４２０を、例えば各交差部での静電容量を測定することによって、サンプリングし得る。このプロセスは全ての送信線４１０にわたって続けられ得て、静電容量がタッチセンサ４００の各一意にアドレス可能な箇所において所定の時間間隔で測定される。コントローラ３１０は、特定の設計又は応用での必要性に応じて走査速度を調整し得る。代わりに、コントローラ３１０は、割り込み駆動プロセスによってタッチセンサ４００とやり取りし得る。こうした実施形態では、タッチ又はジェスチャが、コントローラ３１０に割り込みを生じさせて、所定の時間間隔でタッチセンサ４００からサンプリングされた感知タッチ情報を記憶しているそれ自体のレジスタのうち一つ以上の読み取りをコントローラ３１０に開始させる。
【００２４】
図５Ａは、本発明の一つ以上の実施形態に係る単一基板を備えるタッチセンサの断面図を示す。第一の導電性メッシュ５２０が基板５１０の頂部側に配置され得る。第二の導電性メッシュ５３０は、基板５１０の底部側に配置され得る。本発明の一つ以上の実施形態では、基板５１０、第一の導電性メッシュ５２０、及び第二の導電性メッシュ５３０がタッチセンサ４００を形成し得る。
【００２５】
図５Ｂは、本発明の一つ以上の実施形態に係る二つの基板を備えるタッチセンサの断面図を示す。第一の導電性メッシュ５２０は第一の基板５１０の頂部側に配置され得る。第一の基板５１０の底部側は、光学透明接着剤（図示せず）又は光学透明樹脂（図示せず）によって第二の基板５１０の頂部側に積層され得る。第二の導電性メッシュ５３０は第二の基板５１０の底部側に配置され得る。基板５１０、第一の導電性メッシュ５２０、及び第二の導電性メッシュ５３０がタッチセンサ４００を形成し得る。タッチセンサの断面構成が、本発明の一つ以上の実施形態に係る応用又は設計に基づいて異なり得ることを当業者は認識されたい。
【００２６】
透明とは、８５％以上の透過率での可視光の透過を意味する。特定の実施形態では、基板５１０は、アクリル、トリアセチルセルロース（ＴＡＣ，ｔｒｉａｃｅｔｙｌ  ｃｅｌｌｕｌｏｓｅ）、セルロース誘導体、シクロオレフィンポリマー（ＣＯＰ，ｃｙｃｌｏ‐ｏｌｅｆｉｎ  ｐｏｌｙｍｅｒ）、脂環式炭化水素、ポリカーボネート、グリコール変性ポリエチレンテレフタレート（ＰＥＴＧ，ｐｏｌｙｅｔｈｙｌｅｎｅ  ｔｅｒｅｐｈｔｈａｌａｔｅ  ｇｌｙｃｏｌ‐ｍｏｄｉｆｉｅｄ）、又はこれらの組み合わせから成る透明な光学等方性基板であり得る。他の実施形態では、基板５１０は、透明な複屈折性ポリエチレンテレフタレート（複屈折性ＰＥＴ）であり得る。更に他の実施形態では、基板５１０は、ガラス、プラスチック又はフィルムであり得る。
【００２７】
特定の実施形態では、第一の導電性メッシュ５２０は、複数の個別の列（又は送信）線（図４の４１０）として機能するように区切られた導体のメッシュを含み得る。第二の導電性メッシュ５３０は複数の個別の行（又は受信）線（図４の４２０）として機能するように区切られた導体のメッシュを含み得る。他の実施形態では、第一の導電性メッシュ５２０と第二の導電性メッシュ５３０が果たす役割は逆になり得る。第一の導電性メッシュ５２０及び第二の導電性メッシュ５３０の構成は、本発明の一つ以上の実施形態に係る応用又は設計に基づいて異なり得ることを当業者は認識されたい。
【００２８】
図６は、本発明の一つ以上の実施形態に係る基板上に配置された第一の導電性メッシュを示す。第一の導電性メッシュ５２０は、複数の平行なｘ軸導線６１０と、複数の平行なｙ軸導線６２０とによって形成され、基板（例えば図５の５１０）の頂部側に配置されたメッシュを含み得る。第一の導電性メッシュ５２０のサイズが本発明の一つ以上の実施形態に係る応用又は設計に基づいて異なり得ることを当業者は認識されたい。
【００２９】
特定の実施形態では、複数の平行なｘ軸導体６１０は、所定のｘ軸（図示せず）に対して実質的に平行であり得て、複数の平行なｙ軸導体６２０は、所定のｙ軸（図示せず）に対して実質的に平行であり得る。他の実施形態では、複数の平行なｘ軸導体６１０は所定のｘ軸に対して角度を付けられ得て、複数の平行なｙ軸導体６２０は所定のｙ軸に対して角度を付けられ得る。複数の平行なｘ軸導線６１０の向き及び複数の平行なｙ軸導線６２０の向きが本発明の一つ以上の実施形態に係る応用又は設計に基づいて異なり得ることを当業者は認識されたい。
【００３０】
特定の実施形態では、複数の平行なｘ軸導線６１０は複数の平行なｙ軸導線６２０に対して垂直であり得る。他の実施形態では、複数の平行なｘ軸導線６１０は、複数の平行なｙ軸導線６２０に対して角度が付けられ得る。複数の平行なｘ軸導線６１０と複数の平行なｙ軸導線６２０との間の相対的な角度が、本発明の一つ以上の実施形態に係る応用又は設計に基づいて異なり得ることを当業者は認識されたい。
【００３１】
特定の実施形態では、複数の断線部６３０が、第一の導電性メッシュ６２０を複数の列（又は送信）線４１０に区切り得て、その送信線の各々が他の送信線から電気的に区切られる。各送信線４１０はチャネルパッド６４０に繋がり得る。各チャネルパッド６４０は、一つ以上の相互接続導線６５０を用いてインターフェースコネクタ６６０に繋がり得る。インターフェースコネクタ６６０は、タッチセンサとコントローラとの間の接続インターフェースを提供し得る。
【００３２】
特定の実施形態では、複数の平行なｘ軸導体６１０、複数の平行なｙ軸導体６２０、複数のチャネルパッド６４０、複数の相互接続導線６５０、及び／又は、複数のインターフェースコネクタ６６０のうち一つ以上が、銀ナノワイヤ、カーボンナノチューブ、グラフェン、導電性ポリマー、無電解めっき触媒インク、又は導電性メッシュでの使用に適した他の導電性物質から成り得る。
【００３３】
図７は、本発明の一つ以上の実施形態に係る基板上に配置された第二の導電性メッシュを示す。第二の導電性メッシュ５３０は、複数の平行なｘ軸導線６１０と、複数の平行なｙ軸導線６２０とによって形成され、基板（例えば、図５の５１０）の第二の側に配置されたメッシュを含み得る。第二の導電性メッシュ５３０のサイズが、本発明の一つ以上の実施形態に係る応用又は設計に基づいて異なり得ることを当業者は認識されたい。典型的には、第二の導電性メッシュ５３０は、第一の導電性メッシュ（図６の５２０）と実質的に同様のサイズのものである。
【００３４】
特定の実施形態では、複数の平行なｘ軸導体６１０は所定のｘ軸（図示せず）に実質的に平行であり得て、複数の平行なｙ軸導体６２０は所定のｙ軸（図示せず）に実質的に平行であり得る。他の実施形態では、複数の平行なｘ軸導体６１０は所定のｘ軸に対して角度が付けられ得て、複数の平行なｙ軸導体６２０は所定のｙ軸に対して角度が付けられ得る。複数の平行なｘ軸導線６１０の向き及び複数の平行なｙ軸導線６２０の向きが本発明の一つ以上の実施形態に係る応用又は設計に基づいて異なり得ることを当業者は認識されたい。
【００３５】
特定の実施形態では、複数の平行なｘ軸導線６１０は、複数の平行なｙ軸導線６２０に垂直であり得る。他の実施形態では、複数の平行なｘ軸導線６１０は、複数の平行なｙ軸導線６２０に対して角度が付けられ得る。複数の平行なｘ軸導線６１０と複数の平行なｙ軸導線６２０との間の相対的な角度が本発明の一つ以上の実施形態に係る応用又は設計に基づいて異なり得ることを当業者は認識されたい。
【００３６】
特定の実施形態では、複数の断線部６３０が第二の導電性メッシュ６３０を複数の行（又は受信）線４２０に区切り得て、各受信線は他の受信線から電気的に区切られる。各受信線４２０はチャネルパッド６４０に繋がり得る。各チャネルパッド６４０は、一つ以上の相互接続導線６５０によってインターフェースコネクタ６６０に繋がり得る。インターフェースコネクタ６６０は、タッチセンサとコントローラとの間の接続インターフェースを提供し得る。
【００３７】
特定の実施形態では、複数の平行なｘ軸導体６１０、複数の平行なｙ軸導体６２０、複数のチャネルパッド６４０、複数の相互接続導線６５０、及び／又は、複数のインターフェースコネクタ６６０のうち一つ以上が、銀ナノワイヤ、カーボンナノチューブ、グラフェン、導電性ポリマー、無電解めっき触媒インク、又は導電性メッシュでの使用に適した他の導電性物質から成り得る。
【００３８】
図８は、本発明の一つ以上の実施形態に係るタッチセンサの一部を示す。特定の実施形態では、タッチセンサ４００は、基板（例えば、図５の５１０）の第一の側に第一の導電性メッシュ５２０を配置して、基板（例えば、図５の５１０）の第二の側に第二の導電性メッシュ５３０を配置することによって形成され得る。他の実施形態では、第一の導電性メッシュ５２０及び第二の導電性メッシュ５３０は、本発明の図１０から図１５に関して説明されるように配置され得る。第一の導電性メッシュ５２０及び第二の導電性メッシュ５３０は互いにずらされ得る。第一の導電性メッシュ５２０と第二の導電性メッシュ５３０との間のずれは本発明の一つ以上の実施形態に係る応用又は設計に基づいて異なり得ることを当業者は認識されたい。
【００３９】
特定の実施形態では、第一の導電性メッシュ５２０は、複数の断線部（図６の６３０）によって電気的に区切られた列（又は送信）線４１０に区切られているメッシュを形成する複数の平行なｘ軸導線（図６の６１０）及び複数の平行なｙ軸導線（図６の６２０）を含み得る。第二の導電性メッシュ５３０は、複数の断線部（図７の６３０）によって電気的に区切られた行（又は受信）線４２０に区切られているメッシュを形成する複数の平行なｘ軸導線（図７の６１０）及び複数の平行なｙ軸導線（図７の６２０）を含み得る。動作時には、コントローラ（図３の３１０）が、一つ以上の送信線４１０を電気的に駆動させ得て、タッチセンサ４００が、コントローラ（図３の３１０）によってサンプリングされた一つ以上の受信線４２０上でのタッチを感知する。他の実施形態では、第一の導電性メッシュ５２０と第二の導電性メッシュ５３０との役割が逆になり得る。
【００４０】
特定の実施形態では、第一の導電性メッシュ５２０又は第二の導電性メッシュ５３０の複数の平行なｘ軸導線（図６及び図７の６１０）のうち一つ以上、複数の平行なｙ軸導線（図６及び図７の６２０）のうち一つ以上、複数の断線部（図６及び図７の６３０）のうち一つ以上、複数のチャネルパッド（図６及び図７の６４０）のうち一つ以上、複数の相互接続導線（図６及び図７の６５０）のうち一つ以上、及び／又は、複数のインターフェースコネクタ（図６及び図７の６６０）のうち一つ以上は、異なる線幅及び／又は異なる向きを有し得る。また、複数の平行なｘ軸導線（図６及び図７の６１０）の数、複数の平行なｙ軸導線（図６及び図７の６２０）の数、及び、これらの線と線との間の間隔は、応用又は設計に基づいて異なり得る。各導電性メッシュのサイズ、構成及び設計が本発明の一つ以上の実施形態に応じて異なり得ることを当業者は認識されたい。
【００４１】
特定の実施形態では、複数の平行なｘ軸導線（図６及び図７の６１０）のうち一つ以上、及び、複数の平行なｙ軸導線（図６及び図７の６２０）のうち一つ以上は、略５マイクロメートル未満の線幅を有し得る。他の実施形態では、複数の平行なｘ軸導線（図６及び図７の６１０）のうち一つ以上、及び、複数の平行なｙ軸導線（図６及び図７の６２０）のうち一つ以上は、略５マイクロメートルと略１０マイクロメートルとの間の範囲内の線幅を有し得る。更に他の実施形態では、複数の平行なｘ軸導線（図６及び図７の６１０）のうち一つ以上、及び、複数の平行なｙ軸導線（図６及び図７の６２０）のうち一つ以上は、略１０マイクロメートルと略５０マイクロメートルとの間の範囲内の線幅を有し得る。更に他の実施形態では、複数の平行なｘ軸導線（図６及び図７の６１０）のうち一つ以上、及び、複数の平行なｙ軸導線（図６及び図７の６２０）のうち一つ以上は、略５０マイクロメートルよりも大きな線幅を有し得る。複数の平行なｘ軸導線（図６及び図７の６１０）のうち一つ以上、及び、複数の平行なｙ軸導線（図６及び図７の６２０）のうち一つ以上の形状及び幅が本発明の一つ以上の実施形態に応じて異なり得ることを当業者は認識されたい。
【００４２】
特定の実施形態では、複数のチャネルパッド（図６及び図７の６４０）のうち一つ以上、複数の相互接続導線（図６及び図７の６５０）のうち一つ以上、及び／又は、複数のインターフェースコネクタ（図６及び図７の６６０）のうち一つ以上は、異なる幅又は向きを有し得る。また、チャネルパッド（図６及び図７の６４０）、相互接続導線（図６及び図７の６５０）、及び／又はインターフェースコネクタ（図６及び図７の６６０）の数、並びに、これらの間の線と線との間の間隔は、応用又は設計に基づいて異なり得る。各チャネルパッド（図６及び図７の６４０）、相互接続導線（図６及び図７の６５０）、及び／又はインターフェースコネクタ（図６及び図７の６６０）のサイズ、構成及び設計が本発明の一つ以上の実施形態に応じて異なる得ることを当業者は認識されたい。
【００４３】
典型的な応用では、一つ以上のチャネルパッド（図６及び図７の６４０）、相互接続導線（図６及び図７の６５０）、及び／又は、インターフェースコネクタ（図６及び図７の６６０）の各々は、複数の平行なｘ軸導線（図６及び図７の６１０）の各々、又は、複数の平行なｙ軸導線（図６及び図７の６２０）の各々よりも実質的に大きな幅を有する。チャネルパッド（図６及び図７の６４０）、相互接続導線（図６及び図７の６５０）、及び／又はインターフェースコネクタ（図６及び図７の６６０）のサイズ、構成、設計、数、形状、及び幅は、本発明の一つ以上の実施形態に係る応用又は設計に基づいて異なる得ることを当業者は認識されたい。
【００４４】
図９は、本発明の一つ以上の実施形態に係るフレキソ印刷ステーションを示す。フレキソ印刷ステーション９００は、インクパン９１０、インクロール９２０（ファウンテンロールとも称される）、アニロックスロール９３０（計量ロールとも称される）、ドクターブレード９４０、印刷版胴９５０、フレキソ印刷版９６０、及び、圧胴９７０を含み得る。
【００４５】
動作時には、インクロール９２０が、インクパン９１０からアニロックスロール９３０にインク９８０を転移させる。特定の実施形態では、インク９８０は、前駆体インク、触媒インク、又は触媒合金インクであり得て、無電解めっき又は他のビルドアッププロセスによる金属化に適しためっき種として作用する。他の実施形態では、インク９８０は、直接印刷の導電性インクであり得て、金属化や更なるビルドアッププロセスを必要としない。更に他の実施形態では、インク９８０は他の導電性又は前駆体インクであり得る。インク９８０の組成が応用又は設計に応じて異なる得ることを当業者は認識されたい。アニロックスロール９３０は、典型的には、工業用セラミックで覆われ得る鋼又はアルミニウムのコアで構成されて、その表面は、複数の微細なくぼみ（セルとも称される）（図示せず）を含む。ドクターブレード９４０は、アニロックスロール９３０から余剰のインク９８０を除去する。転移領域９９０において、アニロックスロール９３０が、均一な厚さでフレキソ印刷版９６０に転移されるインク９８０の量を計量する。印刷版胴９５０は金属製であり得て、その表面は、耐摩耗性を増大させるためにクロム等でめっきされ得る。フレキソ印刷版９６０は、接着剤（図示せず）によって印刷版胴９５０に取り付けられ得る。
【００４６】
一つ以上の基板５１０が印刷版胴９５０と圧胴９７０との間を移動する。圧胴９７０は、転移領域９９５において、印刷版胴９５０に圧力を印加し、フレキソ印刷版９６０のエンボスパターンから基板５１０上にイメージを転移させる。印刷版胴９５０の回転速度は、基板５１０がフレキソ印刷システム９００を移動する速度に一致するように同期される。その速度は、毎分２０フィートと毎分７５０フィートとの間であり得る。
【００４７】
本発明の一つ以上の実施形態では、フレキソ印刷ステーション９００を用いて、一つ以上の導電性メッシュ（図８の５２０又は５３０）の前駆体又は触媒インク（図示せず）のイメージを一つ以上の基板５１０の一つ以上の側に印刷し得る。特定の実施形態では、フレキソ印刷に続けて、前駆体又は触媒インク（図示せず）を、無電解めっきプロセス又は他のビルドアッププロセスによって金属化して、一つ以上の基板５１０上に一つ以上の導電性メッシュ（図８の５２０又は５３０）を形成し得る。他の実施形態では、インクは、直接印刷された（金属が密に充填された）導電性インク９８０であり得て、無電解めっきやビルドアップを必要としないものであり得る。一つ以上の基板５１０上の一つ以上の導電性メッシュ（図８の５２０又は５３０）を用いて、タッチセンサ（図８の４００）を形成し得る。
【００４８】
本発明の一つ以上の実施形態では、一つ以上のフレキソ印刷ステーション９００を用いて、一つ以上の導電性メッシュ（図８の５２０又は５３０）の各々を印刷し得る。一つ以上のフレキソ印刷ステーションの各々は、フレキソ印刷版（フレキソマスタと称されることもある）を用いて、インクイメージを基板に転移させる。フレキソ印刷版は、遠心端部を有する一つ以上のエンボスパターン（又は隆起部）を含み、その遠心端部の上に、インク又は他の印刷可能物質が堆積し得る。動作時には、インクの付いたフレキソ印刷版が、一つ以上のエンボスパターンのインクイメージを基板上に印刷する。特定の実施形態では、一つ以上のフレキソ印刷ステーションを用いて、第一の導電性メッシュ（図６の５２０）及び第二の導電性メッシュ（図７の５３０）の各々を一つ以上の基板５１０上に印刷し得る。フレキソ印刷プロセスを用いて、タッチセンサの一つ以上の導電性メッシュを形成し得るが、一つ以上の導電性メッシュを形成することができる他のプロセスも、本発明の一つ以上の実施形態に従って使用され得る。
【００４９】
タッチセンサ（例えば図１の１１０、又は図２の２１０）がディスプレイデバイスサブアセンブリ（例えばＬＣＤ１０５又はＯＬＥＤ２０５）上に配置されている個別タッチセンサ解決策（例えば図１又は図２）を用いた従来のタッチスクリーンでは、導電性メッシュは、特定の角度、例えば斜角から見た場合に鏡面反射を示し得る。例えば、ディスプレイデバイスからの典型的な使用者の距離等の通常の動作条件下において、この鏡面反射は、典型的には、ディスプレイデバイスが発光していない、つまりオフになっている場合にのみ目に見える。しかしながら、ディスプレイデバイスを近くで調べれば、導電性メッシュは依然として使用者の目に見えるものであり得る。個別タッチセンサ解決策において導電性メッシュが示す鏡面反射を低減するための試みでは、視認性を低下させるように導線の幅及びピッチを制約し得る。こうした制約は、個別タッチセンサ解決策を使用し得る応用又は設計（例えば、大型タッチスクリーン等）を制限し得る。
【００５０】
本発明の一つ以上の実施形態では、偏光子の下に導電性メッシュを備えるタッチスクリーンが、通常の動作条件下及び使用者による近くでの視認における導電性メッシュの視認性を低減し又は無くす。本発明の一つ以上の実施形態では、偏光子の下に導電性メッシュを備えるタッチスクリーンが、導電性メッシュがディスプレイデバイスサブアセンブリの上に配置されている場合に生じる鏡面反射を低減し又は無くす。こうした実施形態では、既存のディスプレイデバイスサブアセンブリ上での個別タッチセンサ解決策を適用するのではなくて、新規タイプのディスプレイデバイスが、偏光子、又は場合によってはカバーレンズの下においてディスプレイデバイス自体の中に導電性メッシュタッチセンサを組み込む。
【００５１】
図１０は、本発明の一つ以上の実施形態に係る偏光子の下の導電性メッシュを備えるＬＣＤタッチスクリーンの断面図を示す。タッチスクリーン１０００は、ＬＣＤ１００５と、偏光子の下でディスプレイデバイスサブアセンブリ内に組み込まれるタッチセンサ１０１０とを含む。
【００５２】
カバーレンズ１０１５の頂部側は使用者に向き合い、ガラス、プラスチック、フィルム又はこれらの組み合わせから成り得る。カバーレンズ１０１５の底部側は、光学透明接着剤（図示せず）又は光学透明樹脂（図示せず）によって前方直線偏光子１０２０の頂部側に結合され得る。前方直線偏光子１０２０は、アンチグレア又はマット仕上げの偏光子である。前方直線偏光子１０２０は、全方向において実質的に均一な光学特性（反射率、透過率等）を示す光学等方性のフィルム又は他の物質から成る。アンチグレア偏光子はアンチグレア機能を提供して、典型的にはカバーレンズ１０１５に結合させ易い。前方直線偏光子１０２０は、後方直線偏光子１０３５に対して９０度回転され得て、交差偏光対を形成する。
【００５３】
タッチセンサ１０１０は、光学等方性基板５１０の頂部側に配置された第一の導電性メッシュ５２０と、光学等方性基板５１０の底部側に配置された第二の導電性メッシュ５３０とを含む。第一の導電性メッシュ５２０の頂部側は、光学透明接着剤（図示せず）又は光学透明樹脂（図示せず）によって前方直線偏光子１０２０の底部側に結合され得る。第二の導電性メッシュ５３０の底部側は、光学透明接着剤（図示せず）又は光学透明樹脂（図示せず）によって前方ディスプレイ基板１０２５の頂部側に結合され得る。前方ディスプレイ基板１０２５は、ガラス、プラスチック、フィルム、又はこれらの組み合わせから成り得る。カラーフィルタ１３０は、前方ディスプレイ基板１０２５の底部側に配置され得る。カラーフィルタ１３０は複数のＲＧＢサブ画素パターン（図示せず）を含む。液晶層１３５は、カラーフィルタ１３０の底部側とＴＦＴ層１４０の頂部側との間に配置され、封止材によって封止され得る。ＴＦＴ層１４０は、後方ディスプレイ基板１０３０の頂部側に配置され得て、液晶層１３５のサブ画素電極（図示せず）を選択的に駆動させるように構成される。後方ディスプレイ基板１０３０は、ガラス、プラスチック、フィルム、又はこれらの組み合わせから成り得る。後方直線偏光子１０３５の頂部側は、光学透明接着剤（図示せず）又は光学透明樹脂（図示せず）によって後方ディスプレイ基板１０３０の底部側に結合され得る。後方直線偏光子１０３５は、光沢性又はアンチグレアの偏光子であり得て、全方向において実質的に均一な光学特性（反射率、透過率等）を示す光学等方性のフィルム又は他の物質から成り得る。バックライトモジュール１５５の頂部側は、後方直線偏光子１０３５の底部側に結合され得る。バックライトモジュール１５５は、エレクトロルミネセントランプ、冷陰極蛍光ランプ、ＬＥＤアレイ等の光源を含み得る。
【００５４】
タッチセンサ１０１０を単一の基板５１０を備えるものとして説明してきたが、図５Ｂに示されるもの等の二つの基板５１０を備えるタッチセンサも本発明の一つ以上の実施形態に従って使用され得ることを当業者は認識されたい。
【００５５】
図１１は、本発明の一つ以上の実施形態に係る偏光子の下に導電性メッシュを備えるＬＣＤタッチスクリーンの断面図を示す。タッチスクリーン１１００はＬＣＤ１１０５と、偏光子の下においてディスプレイデバイスサブアセンブリ内に組み込まれているタッチセンサ１１１０とを含む。
【００５６】
カバーレンズ１０１５の頂部側は、使用者に向き合い、ガラス、プラスチック、フィルム、又はこれらの組み合わせから成り得る。カバーレンズ１０１５の底部側は、光学透明接着剤（図示せず）又は光学透明樹脂（図示せず）によって前方直線偏光子１０２０の頂部側に結合され得る。前方直線偏光子１０２０はアンチグレア又はマット仕上げの偏光子である。前方直線偏光子１０２０は、全方向において実質的に均一な光学特性（反射率、透過率等）を示す光学等方性のフィルム又は他の物質から成る。アンチグレア偏光子は、アンチグレア機能を提供して、典型的にはカバーレンズ１０１５に結合させ易い。前方直線偏光子１０２０は、後方直線偏光子１０３５に対して９０度回転され得て、交差偏光対を形成する。
【００５７】
タッチセンサ１１１０は、前方ディスプレイ基板１０２５の頂部側に配置された第一の導電性メッシュ５２０と、前方ディスプレイ基板１０２５の底部側に配置された第二の導電性メッシュ５３０とを含む。第一の導電性メッシュ５２０の頂部側は、光学透明接着剤（図示せず）又は光学透明樹脂（図示せず）によって前方直線偏光子１０２０の底部側に結合され得る。前方ディスプレイ基板１０２５はガラス、プラスチック、フィルム、又はこれらの組み合わせから成り得る。カラーフィルタ１３０は、第二の導電性メッシュ５３０の底部側に配置され得る。カラーフィルタ１３０は複数のＲＧＢサブ画素パターン（図示せず）を含む。液晶層１３５はカラーフィルタ１３０の底部側とＴＦＴ層１４０の頂部側との間に配置され得て、封止材によって封止され得る。ＴＦＴ層１４０は後方ディスプレイ基板１０３０の頂部側に配置され得て、液晶層１３５のサブ画素電極（図示せず）を選択的に駆動させるように構成され得る。後方ディスプレイ基板１０３０は、ガラス、プラスチック、フィルム、又はこれらの組み合わせから成り得る。後方直線偏光子１０３５の頂部側は、光学透明接着剤（図示せず）又は光学透明樹脂（図示せず）によって後方ディスプレイ基板１０３０の底部側に結合され得る。後方直線偏光子１０３５は、光沢性又はアンチグレアの偏光子であり得て、全方向において実質的に均一な光学特性（反射率、透過率等）を示す光学等方性のフィルム又は他の物質から成り得る。バックライトモジュール１５５の頂部側は後方直線偏光子１０３５の底部側に結合され得る。バックライトモジュール１５５は、エレクトロルミネセントランプ、冷陰極蛍光ランプ、ＬＥＤアレイ等の光源を含み得る。
【００５８】
タッチセンサ１１１０が積層体の下方に移っているので、ディスプレイデバイス１１０５の走査速度の高調波における雑音がタッチセンサ１１１０の信号対雑音比を低下させて、タッチセンサ１１１０の動作と干渉する可能性がある。しかしながら、タッチセンサ１１１０は低導電率の導電性メッシュから成り得るものであるので、タッチセンサ１１１０の走査速度を、ディスプレイデバイス１１０５の走査速度からの雑音の導入を最少化する高速に増大させ得る。
【００５９】
上述の特定の実施形態では、タッチセンサ１１１０は、前方ディスプレイ基板１０２５の頂部側に配置された第一の導電性メッシュ５２０と、前方ディスプレイ基板１０２５の底部側に配置された第二の導電性メッシュ５３０とを含む。結果として、例えば、図１０のタッチスクリーン１０００と比較すると、基板層（例えば、図５の５１０）を除去し得て、タッチスクリーン１１００の製造を単純化し得て、ディスプレイデバイス１１０５の全厚さを減少させ得る。
【００６０】
しかしながら、他の実施形態では（独立して例示せず）では、第一の導電性メッシュ５２０は、基板層（図５の５１０）の頂部側に配置され得て、第二の導電性メッシュ５３０は、前方ディスプレイ基板１０２５の頂部側に配置され得る。こうした実施形態では、前方直線偏光子１０２０の底部側は、光学透明接着剤（図示せず）又は光学透明樹脂（図示せず）によって第一の導電性メッシュ５２０の頂部側に結合され得る。基板層（図５の５１０）の底部側は、前方ディスプレイ基板１０２５の頂部側に配置された第二の導電性メッシュ５３０の頂部側に結合され得る。導電性メッシュの割当が本発明の一つ以上の実施形態に応じて異なり得ることを当業者は認識されたい。
【００６１】
図１２は、本発明の一つ以上の実施形態に係る偏光子の下に導電性メッシュを備えるＬＣＤタッチスクリーンの断面図を示す。タッチスクリーン１２００は、ＬＣＤ１２０５と、偏光子の下においてディスプレイデバイスサブアセンブリ内に組み込まれているタッチセンサ１２１０とを含む。
【００６２】
カバーレンズ１０１５の頂部側は、使用者に向き合い、ガラス、プラスチック、フィルム、又はこれらの組み合わせから成り得る。カバーレンズ１０１５の底部側は、光学透明接着剤（図示せず）又は光学透明樹脂（図示せず）によって前方直線偏光子１０２０の頂部側に結合され得る。前方直線偏光子１０２０はアンチグレア又はマット仕上げの偏光子である。前方直線偏光子１０２０は、全方向において実質的に均一な光学特性（反射率、透過率等）を示す光学等方性のフィルム又は他の物質から成る。アンチグレア偏光子はアンチグレア機能を提供して、典型的にはカバーレンズ１０１５に結合させ易い。前方直線偏光子１０２０は、後方直線偏光子１０３５に対して９０度回転され得て、交差偏光対を形成する。
【００６３】
タッチセンサ１２１０は、前方直線偏光子１０２０の底部側に配置された第一の導電性メッシュ５２０と、前方ディスプレイ基板１０２５の頂部側に配置された第二の導電性メッシュ５３０とを含む。第一の導電性メッシュ５２０の底部側は、光学透明接着剤（図示せず）又は光学透明樹脂（図示せず）によって第二の導電性メッシュ５３０の頂部側に結合され得る。前方ディスプレイ基板１０２５は、ガラス、プラスチック、フィルム、又はこれらの組み合わせから成り得る。カラーフィルタ１３０は前方ディスプレイ基板１０２５の底部側に配置され得る。カラーフィルタ１３０は複数のＲＧＢサブ画素パターン（図示せず）を含む。液晶層１３５はカラーフィルタ１３０の底部側とＴＦＴ層１４０の頂部側との間に配置され、封止材によって封止され得る。ＴＦＴ層１４０は、後方ディスプレイ基板１０３０の頂部側に配置され得て、液晶層１３５のサブ画素電極（図示せず）を選択的に駆動させるように構成され得る。後方ディスプレイ基板１０３０は、ガラス、プラスチック、フィルム、又はこれらの組み合わせから成り得る。後方直線偏光子１０３５の頂部側は、光学透明接着剤（図示せず）又は光学透明樹脂（図示せず）によって後方ディスプレイ基板１０３０の底部側に結合され得る。後方直線偏光子１０３５は、光沢性又はアンチグレアの偏光子であり得て、全方向において実質的に均一な光学特性（反射率、透過率等）を示す光学等方性のフィルム又は他の物質から成り得る。バックライトモジュール１５５の頂部側は後方直線偏光子１０３５の底部側に結合され得る。バックライトモジュール１５５は、エレクトロルミネセントランプ、冷陰極蛍光ランプ、ＬＥＤアレイ等の光源を含み得る。
【００６４】
タッチセンサ１２１０が積層体の下方に移っているので、ディスプレイデバイス１２０５の走査速度の高調波における雑音がタッチセンサ１２１０の信号対雑音比を低下させて、タッチセンサ１２１０の動作と干渉する可能性がある。しかしながら、タッチセンサ１２１０は低導電率の導電性メッシュから成り得るものであるので、タッチセンサ１２１０の走査速度を、ディスプレイデバイス１２０５の走査速度からの雑音の導入を最少化する高速に増大させ得る。
【００６５】
上述の特定の実施形態では、タッチセンサ１２１０は、前方直線偏光子１０２０の底部側に配置された第一の導電性メッシュ５２０と、前方ディスプレイ基板１０２５の頂部側に配置された第二の導電性メッシュ５３０とを含む。結果として、例えば図１０のタッチスクリーン１０００と比較すると、基板層（例えば、図５の５１０）を除去し得て、タッチスクリーン１２００の製造を単純化し得て、ディスプレイデバイス１２０５の全厚さを減少させ得る。
【００６６】
しかしながら、他の実施形態（独立して例示せず）では、第一の導電性メッシュ５２０は前方直線偏光子１０２０の底部側に配置され得て、第二の導電性メッシュは基板層（図５の５１０）の底部側に配置され得る。こうした実施形態では、前方直線偏光子１０２０の底部側に配置された第一の導電性メッシュ５２０の底部側は、光学透明接着剤（図示せず）又は光学透明樹脂（図示せず）によって基板層（図５の５１０）の頂部側に結合され得る。基板層（図５の５１０）の底部側に配置された第二の導電性メッシュの底部側は、光学透明接着剤（図示せず）又は光学透明樹脂（図示せず）によって前方ディスプレイ基板１０２５の頂部側に結合され得る。更に他の実施形態では、第一の導電性メッシュ５２０は基板層（図５の５１０）の頂部側に配置され得て、第二の導電性メッシュは前方ディスプレイ基板１０２５の頂部側に配置され得る。こうした実施形態では、前方直線偏光子１０２０の底部側は、光学透明接着剤（図示せず）又は光学透明樹脂（図示せず）によって、基板層（図５の５１０）の頂部側に配置された第一の導電性メッシュ５２０に結合され得る。基板層（図５の５１０）の底部側は、光学透明接着剤（図示せず）又は光学透明樹脂（図示せず）によって、前方ディスプレイ基板１０２５の頂部側に配置された第二の導電性メッシュ５３０の頂部側に結合され得る。導電性メッシュの割当が本発明の一つ以上の実施形態に応じて異なり得ることを当業者は認識されたい。
【００６７】
図１３は、本発明の一つ以上の実施形態に係る偏光子の下に導電性メッシュを備えるＯＬＥＤタッチスクリーンの断面図を示す。タッチスクリーン１３００は、ＯＬＥＤディスプレイ１３０５と、偏光子の下においてディスプレイデバイスサブアセンブリ内に組み込まれているタッチセンサ１３１０とを含む。
【００６８】
カバーレンズ１３１５の頂部側は使用者に向き合い、ガラス、プラスチック、フィルム、又はこれらの組み合わせから成り得る。カバーレンズ１３１５の底部側は、光学透明接着剤（図示せず）又は光学透明樹脂（図示せず）によって円偏光子２２０の頂部側に結合され得る。円偏光子２２０はアンチグレア（マット仕上げ）の偏光子である。
【００６９】
タッチセンサ１３１０は、基板５１０の頂部側に配置された第一の導電性メッシュ５２０と、基板５１０の底部側に配置された第二の導電性メッシュ５３０とを含む。基板５１０は、光学等方性物質又は複屈折ＰＥＴ物質から成り得る。第一の導電性メッシュ５２０の頂部側は、光学透明接着剤（図示せず）又は光学透明樹脂（図示せず）によって、円偏光子２２０の底部側に結合され得る。第二の導電性メッシュ５３０の底部側は、光学透明接着剤（図示せず）又は光学透明樹脂（図示せず）によって、前方ディスプレイ基板１３２０の頂部側に結合され得る。前方ディスプレイ基板１３２０は、ガラス、プラスチック、フィルム、又はこれらの組み合わせから成り得る。ＯＬＥＤ層２３０は、前方ディスプレイ基板１３２０の底部側と、ＴＦＴ層２３５の頂部側との間に配置され得る。ＴＦＴ層２３５は、後方ディスプレイ基板１３２５の頂部側に配置され得て、ＯＬＥＤサブ画素（図示せず）を選択的に駆動させるように構成され得る。後方ディスプレイ基板１３２５は、ガラス、プラスチック、フィルム、又はこれらの組み合わせから成り得る。
【００７０】
図１４は、本発明の一つ以上の実施形態に係る偏光子の下に導電性メッシュを備えるＯＬＥＤタッチスクリーンの断面図を示す。タッチスクリーン１４００は、ＯＬＥＤディスプレイ１４０５と、偏光子の下においてディスプレイデバイスサブアセンブリ内に組み込まれているタッチセンサ１４１０とを含む。
【００７１】
カバーレンズ１３１５の頂部側は使用者に向き合い、ガラス、プラスチック、フィルム、又はこれらの組み合わせから成り得る。カバーレンズ１３１５の底部側は、光学透明接着剤（図示せず）又は光学透明樹脂（図示せず）によって、円偏光子２２０の頂部側に結合され得る。円偏光子２２０はアンチグレア（マット仕上げ）の偏光子である。
【００７２】
タッチセンサ１４１０は、前方ディスプレイ基板１３２０の頂部側に配置された第一の導電性メッシュ５２０と、前方ディスプレイ基板１３２０の底部側に配置された第二の導電性メッシュ５３０とを含む。前方ディスプレイ基板１３２０は、ガラス、プラスチック、フィルム、又はこれらの組み合わせから成り得る。第一の導電性メッシュ５２０の頂部側は、光学透明接着剤（図示せず）又は光学透明樹脂（図示せず）によって、円偏光子２２０の底部側に結合され得る。ＯＬＥＤ層２３０は、第二の導電性メッシュ５３０の底部側とＴＦＴ層２３５の頂部側との間に配置され得る。ＴＦＴ層２３５は、後方ディスプレイ基板１３２５の頂部側に配置され得て、ＯＬＥＤサブ画素（図示せず）を選択的に駆動させるように構成され得る。後方ディスプレイ基板１３２５は、ガラス、プラスチック、フィルム、又はこれらの組み合わせから成り得る。
【００７３】
タッチセンサ１４１０が積層体の下方に移っているので、ディスプレイデバイス１４０５の走査速度の高調波における雑音がタッチセンサ１４１０の信号対雑音比を低下させて、タッチセンサ１４１０の動作と干渉する可能性がある。しかしながら、タッチセンサ１４１０は低導電率の導電性メッシュから成り得るものであるので、タッチセンサ１４１０の走査速度を、ディスプレイデバイス１４０５の走査速度からの雑音の導入を最少化する高速に増大させ得る。
【００７４】
上述の特定の実施形態では、タッチセンサ１４１０は、前方ディスプレイ基板１３２０の頂部側に配置された第一の導電性メッシュ５２０と、前方ディスプレイ基板１３２０の底部側に配置された第二の導電性メッシュ５３０とを含む。結果として、例えば、図１３のタッチスクリーン１３００と比較すると、基板層（例えば、図５の５１０）を除去し得て、タッチスクリーン１４００の製造を単純化し得て、ディスプレイデバイス１４０５の全厚さを減少させ得る。
【００７５】
しかしながら、他の実施形態（独立して例示せず）では、第一の導電性メッシュ５２０は基板層（図５の５１０）の頂部側に配置され得て、第二の導電性メッシュ５３０は前方ディスプレイ基板１３２０の頂部側に配置され得る。こうした実施形態では、円偏光子２２０の底部側は、光学透明接着剤（図示せず）又は光学透明樹脂（図示せず）によって、第一の導電性メッシュ５２０の頂部側に結合され得る。基板層（図５の５１０）の底部側は、光学透明接着剤（図示せず）又は光学透明樹脂（図示せず）によって、前方ディスプレイ基板１３２０の頂部側に配置された第二の導電性メッシュ５３０の頂部側に結合され得る。導電性メッシュの割当が本発明の一つ以上の実施形態に応じて異なり得ることを当業者は認識されたい。
【００７６】
図１５は、本発明の一つ以上の実施形態に係る偏光子の下に導電性メッシュを備えるＯＬＥＤタッチスクリーンの断面図を示す。タッチスクリーン１５００は、ＯＬＥＤディスプレイ１５０５と、偏光子の下においてディスプレイデバイスサブアセンブリ内に組み込まれているタッチセンサ１５１０とを含む。
【００７７】
カバーレンズ１３１５の頂部側は使用者に向き合い、ガラス、プラスチック、フィルム、又はこれらの組み合わせから成り得る。カバーレンズ１３１５の底部側は、光学透明接着剤（図示せず）又は光学透明樹脂（図示せず）によって、円偏光子２２０の頂部側に結合され得る。円偏光子２２０は、アンチグレア（マット仕上げ）の偏光子である。
【００７８】
タッチセンサ１５１０は、円偏光子２２０の底部側に配置された第一の導電性メッシュ５２０と、前方ディスプレイ基板１３２０の頂部側に配置された第二の導電性メッシュ５３０とを含む。前方ディスプレイ基板１３２０は、ガラス、プラスチック、フィルム、又はこれらの組み合わせから成り得る。第一の導電性メッシュ５２０の底部側は、光学透明接着剤（図示せず）又は光学透明樹脂（図示せず）によって、第二の導電性メッシュ５３０の頂部側に結合され得る。ＯＬＥＤ層２３０は、前方ディスプレイ基板１３２０の底部側とＴＦＴ層２３５の頂部側との間に配置され得る。ＴＦＴ層２３５は、後方ディスプレイ基板１３２５の頂部側に配置され得て、ＯＬＥＤサブ画素（図示せず）を選択的に駆動させるように構成され得る。後方ディスプレイ基板１３２５は、ガラス、プラスチック、フィルム、又はこれらの組み合わせから成り得る。
【００７９】
タッチセンサ１５１０が積層体の下方に移っているので、ディスプレイデバイス１５０５の走査速度の高調波における雑音がタッチセンサ１５１０の信号対雑音比を低下させて、タッチセンサ１５１０の動作と干渉する可能性がある。しかしながら、タッチセンサ１５１０は低導電率の導電性メッシュから成り得るものであるので、タッチセンサ１５１０の走査速度を、ディスプレイデバイス１５０５の走査速度からの雑音の導入を最少化する高速に増大させ得る。
【００８０】
上述の特定の実施形態では、タッチセンサ１５１０は、円偏光子２２０の底部側に配置された第一の導電性メッシュ５２０と、前方ディスプレイ基板１３２０の頂部側に配置された第二の導電性メッシュ５３０とを含む。結果として、例えば、図１３のタッチスクリーン１３００と比較すると、基板層（例えば、図５の５１０）を除去し得て、タッチスクリーン１５００の製造を単純化し得て、ディスプレイデバイス１５０５の全厚さを減少させ得る。
【００８１】
しかしながら、他の実施形態（独立して例示せず）では、第一の導電性メッシュ５２０は円偏光子２２０の底部側に配置され得て、第二の導電性メッシュは基板層（図５の５１０）の底部側に配置され得る。こうした実施形態では、円偏光子２２０の底部側に配置された第一の導電性メッシュ５２０の底部側は、光学透明接着剤（図示せず）又は光学透明樹脂（図示せず）によって、基板層（図５の５１０）の頂部側に結合され得る。基板層（図５の５１０）の底部側に配置された第二の導電性メッシュの底部側は、光学透明接着剤（図示せず）又は光学透明樹脂（図示せず）によって、前方ディスプレイ基板１３２０の頂部側に結合され得る。更に他の実施形態では、第一の導電性メッシュ５２０は基板層（図５の５１０）の頂部側に結合され得て、第二の導電性メッシュは前方ディスプレイ基板１３２０の頂部側に結合され得る。こうした実施形態では、円偏光子２２０の底部側は、光学透明接着剤（図示せず）又は光学透明樹脂（図示せず）によって、基板層（図５の５１０）の頂部側に配置された第一の導電性メッシュ５２０に結合され得る。基板層（図５の５１０）の底部側は、光学透明接着剤（図示せず）又は光学透明樹脂（図示せず）によって、前方ディスプレイ基板１０２５の頂部側に配置された第二の導電性メッシュ５３０の頂部側に結合され得る。導電性メッシュの割当が本発明の一つ以上の実施形態に応じて異なり得ることを当業者は認識されたい。
【００８２】
本発明の一つ以上の実施形態の利点として、以下のもののうち一つ以上が挙げられる。
【００８３】
本発明の一つ以上の実施形態では、偏光子の下に導電性メッシュを備えるタッチスクリーンは、導電性メッシュの視認性を低減し又は無くす。
【００８４】
本発明の一つ以上の実施形態では、偏光子の下に導電性メッシュを備えるタッチスクリーンは、反射光の下における導電性メッシュの視認性を低減し又は無くす。
【００８５】
本発明の一つ以上の実施形態では、偏光子の下に導電性メッシュを備えるタッチスクリーンは、下方のバックライトモジュール又はＯＬＥＤが発光していない場合における導電性メッシュの視認性を低減し又は無くす。
【００８６】
本発明の一つ以上の実施形態では、偏光子の下に導電性メッシュを備えるタッチスクリーンは、導電性メッシュの視認性を増強し得るモアレ効果を低減し又は無くす。
【００８７】
本発明の一つ以上の実施形態では、偏光子の下に導電性メッシュを備えるタッチスクリーンは、導電性メッシュの視認性を低減し又は無くしながら、より幅広の導線を使用することを可能にする。
【００８８】
本発明の一つ以上の実施形態では、偏光子の下に導電性メッシュを備えるタッチスクリーンは、導電性メッシュの視認性を低減し又は無くしながら、より大きなピッチで配置された導線を使用することを可能にする。
【００８９】
本発明の一つ以上の実施形態では、偏光子の下に導電性メッシュを備えるタッチスクリーンは、導電性メッシュの視認性を低減し又は無くしながら、より大きなディスプレイでのタッチセンサの使用を可能にする。
【００９０】
本発明の一つ以上の実施形態では、偏光子の下に導電性メッシュを備えるタッチスクリーンは、従来の個別タッチセンサの実施形態と同様又はそれ以上のタッチセンサ性能を提供する。
【００９１】
本発明の一つ以上の実施形態では、偏光子の下に導電性メッシュを備えるタッチスクリーンは、従来の個別タッチセンサの実施形態と比較してタッチセンサ信頼性を改善する。
【００９２】
本発明の一つ以上の実施形態では、偏光子の下に導電性メッシュを備えるタッチスクリーンは、従来の個別タッチセンサの実施形態と比較してタッチスクリーンの製造に関連するコストを低減する。
【００９３】
本発明の一つ以上の実施形態では、偏光子の下に導電性メッシュを備えるタッチスクリーンは、従来の個別タッチセンサの実施形態と比較してタッチスクリーンの製造プロセスを単純化する。
【００９４】
本発明の一つ以上の実施形態では、偏光子の下に導電性メッシュを備えるタッチスクリーンは、フレキソ印刷プロセスと相性の良いタッチセンサを使用する。
【００９５】
本発明を、上記実施形態に関して説明してきたが、当業者は、本開示の恩恵を受けて、本願で開示される発明の範囲内にある他の実施形態を考え出すことができるものである。従って、本発明の範囲は添付の特許請求の範囲のみによって定められるものである。
【符号の説明】
【００９６】
１３０  カラーフィルタ
１３５  液晶層
１４０  薄膜トランジスタ（ＴＦＴ）層
１５５  バックライトモジュール
５１０  基板
５２０  第一の導電性メッシュ
５３０  第二の導電性メッシュ
１０００  タッチスクリーン
１００５  液晶ディスプレイ（ＬＣＤ）
１０１０  タッチセンサ
１０１５  カバーレンズ
１０２０  前方直線偏光子
１０２５  前方ディスプレイ基板
１０３０  後方ディスプレイ基板
１０３５  後方直線偏光子
【図１】
2017504094.tif 000003
【図２】
2017504094.tif 000004
【図３】
2017504094.tif 000005
【図４】
2017504094.tif 000006
【図５Ａ】
2017504094.tif 000007
【図５Ｂ】
2017504094.tif 000008
【図６】
2017504094.tif 000009
【図７】
2017504094.tif 000010
【図８】
2017504094.tif 000011
【図９】
2017504094.tif 000012
【図１０】
2017504094.tif 000013
【図１１】
2017504094.tif 000014
【図１２】
2017504094.tif 000015
【図１３】
2017504094.tif 000016
【図１４】
2017504094.tif 000017
【図１５】
2017504094.tif 000018
【国際調査報告】
2017504094.tif 000019
2017504094.tif 000020